(57)【要約】【課題】ロケーションに限られずに薬液バッグに封入された薬液を安定的に投与することで、点滴等の輸液行為を容易なものとすることができる輸液装置を提供すること。【解決手段】上面に開口１１ａが形成された箱状の本体部１１と、この本体部１１の開口１１ａを開閉する蓋体１２とにより構成される装置本体１０と、装置本体１０の内部に収納され、内部に薬液が封入された薬液バッグ２０と、本体部１１の左側面の外表面の少なくとも一部をカバー部材１３で覆うことで画成された収納部４０に収納されており、薬液導入経路を通じて薬液バッグ２０より吐出された薬液を導入し、かつ予め設定された流量にて薬液供給経路を通じて薬液を供給する輸液量調整手段とを備えたものである。【選択図】図１
2013165758.tif 000002
【特許請求の範囲】
【請求項１】
上面に開口が形成された箱状の本体部と、この本体部の開口を開閉する蓋体とにより構成される装置本体と、
前記装置本体の内部に収納され、内部に薬液が封入された薬液バッグと、
前記本体部の一側面の外表面の少なくとも一部をカバー部材で覆うことで画成された収納部に収納されており、薬液導入経路を通じて前記薬液バッグより吐出された薬液を導入し、かつ予め設定された流量にて薬液供給経路を通じて薬液を供給する輸液量調整手段と
を備えたことを特徴とする輸液装置。
【請求項２】
前記輸液量調整手段は、
前記薬液導入経路を通過する薬液の流量を計測する流量計測手段と、
前記流量計測手段の計測結果に応じて前記薬液供給経路の断面積を変化させることで薬液の流量を調整する流量調整手段と
を備えたことを特徴とする請求項１に記載の輸液装置。
【発明の詳細な説明】
【技術分野】
【０００１】
本発明は、輸液装置に関し、より詳細には、例えば各種医療において点滴等に用いられる薬液を投与するための輸液装置に関するものである。
【背景技術】
【０００２】
従来、例えば各種医療における点滴等に用いられる輸液装置として、ポンプ部と異常検出部とが装置本体に設けられて成るものが知られている。ポンプ部は、薬液が封入された薬液バッグから患者まで繋がるチューブ等の薬液供給経路の途中に設けられており、駆動することにより所定量の薬液を薬液バッグから吸引して患者に投与するものである。異常検出部は、薬液の投与量過多、あるいは投与量不足等の異常を検出するもので、異常を検出すると異常信号を発するものである。
【０００３】
このような輸液装置においては、ポンプ部が駆動して所定量の薬液を患者に投与することで、安定的な点滴等の輸液行為が可能である（例えば、特許文献１参照）。
【先行技術文献】
【特許文献】
【０００４】
【特許文献１】特開２０１０−５１７２１号公報
【発明の概要】
【発明が解決しようとする課題】
【０００５】
ところで、上述したような特許文献１に提案されている輸液装置では、薬液バッグを保持する構成を有していないため、医療現場においては薬液バッグを吊した状態で保持するためのスタンド等を必要としていた。
【０００６】
しかしながら、例えば災害現場等の救急医療現場においては、足場が安定したロケーションであるとは限られない。そのため、足場の悪い救急医療現場においては、スタンドを用いて薬液バッグを保持することは困難であり、医療行為者が薬液バッグを保持するか、保持することが不可能であれば足場が安定したロケーションまで患者を搬送せざるを得ず、点滴等の輸液行為が煩雑なものになっていた。
【０００７】
また、このような救急医療現場に限られず、病院等の施設内における医療現場においても、薬液バッグを保持するためにスタンドを用いることは、かかるスタンドのためのスペースを必要とするばかりか、スタンドの数量によっては患者が利用するベッドの配置等も制限してしまうことになり好ましいものではない。
【０００８】
本発明は、上記実情に鑑みて、ロケーションに限られずに薬液バッグに封入された薬液を安定的に投与することで、点滴等の輸液行為を容易なものとすることができる輸液装置を提供することを目的とする。
【課題を解決するための手段】
【０００９】
上記目的を達成するために、本発明の請求項１に係る輸液装置は、上面に開口が形成された箱状の本体部と、この本体部の開口を開閉する蓋体とにより構成される装置本体と、前記装置本体の内部に収納され、内部に薬液が封入された薬液バッグと、前記本体部の一側面の外表面の少なくとも一部をカバー部材で覆うことで画成された収納部に収納されており、薬液導入経路を通じて前記薬液バッグより吐出された薬液を導入し、かつ予め設定された流量にて薬液供給経路を通じて薬液を供給する輸液量調整手段とを備えたことを特徴とする。
【００１０】
また、本発明の請求項２に係る輸液装置は、上述した請求項１において、前記輸液量調整手段は、前記薬液導入経路を通過する薬液の流量を計測する流量計測手段と、前記流量計測手段の計測結果に応じて前記薬液供給経路の断面積を変化させることで薬液の流量を調整する流量調整手段とを備えたことを特徴とする。
【発明の効果】
【００１１】
本発明によれば、装置本体が、上面に開口が形成された箱状の本体部とこの本体部の開口を開閉する蓋体とにより構成され、内部に薬液が封入された薬液バッグが装置本体の内部に収納され、本体部の一側面の外表面の少なくとも一部をカバー部材で覆うことで画成された収納部に収納された輸液量調整手段が、薬液導入経路を通じて薬液バッグより吐出された薬液を導入し、かつ予め設定された流量にて薬液供給経路を通じて薬液を供給するので、従来の輸液装置のように薬液バッグを保持するためのスタンド等を必要とせず、災害現場等の救急医療現場をはじめ様々なロケーションで用いることができる。輸液量調整手段により所定の流量にて薬液を供給して薬液を投与することができる。従って、ロケーションに限られずに薬液バッグに封入された薬液を安定的に投与することで、点滴等の輸液行為を容易なものとすることができるという効果を奏する。
【図面の簡単な説明】
【００１２】
【図１】図１は、本発明の実施の形態である輸液装置を示す斜視図である。
【図２】図２は、図１に示した輸液装置においてカバー部材を取り外した状態を示す斜視図である。
【図３】図３は、図１に示した輸液装置においてカバー部材を取り外した状態を示す左側面図である。
【図４】図４は、図１に示した輸液装置の特徴的な制御系を模式的に示すブロック図である。
【発明を実施するための形態】
【００１３】
以下に添付図面を参照して、本発明に係る輸液装置の好適な実施の形態について詳細に説明する。
【００１４】
図１は、本発明の実施の形態である輸液装置を示す斜視図である。ここで例示する輸液装置は、装置本体１０と、薬液バッグ２０と、点滴筒３０とを備えて構成されている。
【００１５】
装置本体１０は、例えば硬質プラスチック等の樹脂材料やアルミニウム等の金属性材料から形成されるもので、本体部１１と蓋体１２とを備えて成るものである。
【００１６】
本体部１１は、上面に開口１１ａが形成された箱状の形態を成している。この本体部１１の左側面には、例えば硬質プラスチック等の樹脂材料から形成されるカバー部材１３が取り付けられている。カバー部材１３は、上下方向に沿って切欠部１３１が形成されており、該切欠部１３１に対応する部分だけ外部に露出した状態で本体部１１の左側面の外表面を覆うことで、本体部１１の左側面との間に収納部４０を形成している。つまり、収納部４０は、本体部１１の左側面の外表面の一部を覆う態様でカバー部材１３が取り付けられることで形成されている。
【００１７】
蓋体１２は、本体部１１の後面の上縁部にヒンジ１２１（図３参照）を介して連結されており、開閉移動することで本体部１１の開口１１ａを開閉するものである。この蓋体１２の上面には、把手部１２２や、タッチパネル方式の操作入力手段としての機能を有する操作・表示部１２３が設けられている。また、図１中の符号１２４は、ロック部であり、本体部１１の前面の上縁部中央域に設けられている。このロック部１２４は、蓋体１２が閉移動して本体部１１の開口１１ａを閉成した状態で作動させることにより、該蓋体１２が本体部１１の開口１１ａを閉成した状態に保持するものである。
【００１８】
薬液バッグ２０は、内部に薬液（輸液）が封入された変形可能な容器である。この薬液バッグ２０には、硬質な樹脂材料から形成されるチューブ２１が先端部分が外部に露出する態様で封止されており、このチューブ２１の先端部分には接続部２２が設けられている。かかる薬液バッグ２０は、図には明示しないが、空気圧により加圧する加圧装置に加圧された状態でセットされ、本体部１１の載置面１１１に載置されている。
【００１９】
図２及び図３は、それぞれ図１に示した輸液装置においてカバー部材１３を取り外した状態を示すものであり、図２は斜視図であり、図３は左側面図である。これら図２及び図３を適宜用いて説明する。
【００２０】
点滴筒３０は、カバー部材１３の切欠部１３１に対応する部分に配設されており、本体部１１の左側面の上縁に形成された溝部１１２を通過する薬液導入管３１を介して薬液バッグ２０の接続部２２に接続されている。この点滴筒３０は、薬液導入管３１を通じて薬液バッグ２０から吐出された薬液を滴下させるためのものであり、薬液導入管３１とともに薬液導入経路を構成している。また、点滴筒３０の下端部には、薬液供給管３２が接続されている。この薬液供給管３２は、軟質な樹脂材料から形成されており、その先端部には、図には明示しないが、静脈針等が設けられた濾過管が接続されることで薬液供給経路を構成している。
【００２１】
図４は、図１に示した輸液装置の特徴的な制御系を模式的に示すブロック図である。この図４に示すように、輸液装置は、上記構成の他、撮像部５１、バルブ５２及び制御部６０を備えている。
【００２２】
撮像部５１は、収納部４０に収納されており、点滴筒３０の前方側に配設されたカメラ等で構成されるものである。この撮像部５１は、点滴筒３０で液滴が落下した瞬間を撮像するものである。バルブ５２は、収納部４０において薬液供給管３２を挟み込む態様で設けられている。このバルブ５２は、制御部６０からの指令に従って駆動して、薬液供給管３２の挟み込む力を変化させることで薬液の流路の断面積を変化させるものである。このバルブ５２は、初期の状態では、薬液供給管３２を薬液が通過することを規制するよう該薬液供給管３２を挟み込んで締め付けている。
【００２３】
制御部６０は、本体部１１に収納されており、メモリ６１に予め記憶されたプログラムやデータに従って、あるいは操作・表示部１２３を通じて操作入力された命令に従って、撮像部５１及びバルブ５２を制御するとともに、必要な情報を操作・表示部１２３に表示させるものである。
【００２４】
以上のような構成を有する輸液装置は、次のようにして薬液バッグ２０に封入された薬液を投与することができる。
【００２５】
前提として、上述したように点滴筒３０を薬液導入管３１に接続し、かつ加圧装置に加圧された状態でセットされた薬液バッグ２０を載置面１１１に載置して、蓋体１２を閉移動させて本体部１１の開口１１ａを閉成させておき、ロック部１２４によりその状態を保持させる。また、バルブ５２の挟み込み力を適宜調整して薬液導入管３１及び薬液供給管３２の内部を薬液で満たすようにしておく。
【００２６】
そして、操作者により操作・表示部１２３を通じて投与速度に関する指令及び投与開始指令が与えられると、制御部６０は、アクチュエータ５３を駆動させてバルブ５２の挟み込み力を低減させて薬液が薬液供給管３２を通過することを許容する。そして、制御部６０は、撮像部５１から与えられる画像の処理を行って点滴量を計測する。計測した点滴量が投与速度に関する指令に含まれる輸液量の許容範囲にあれば、バルブ５２の挟み込み力を維持し、点滴量が上記許容範囲の上限値を超える場合には、アクチュエータ５３を駆動させてバルブ５２の挟み込み力を増大させて薬液供給通路の断面積を変化させて通過する薬液の流量を低減させる。その一方、点滴量が上記許容範囲の下限値を下回る場合には、アクチュエータ５３を駆動させてバルブ５２の挟み込み力を低減させて薬液供給通路の断面積を変化させて通過する薬液の流量を増大させる。このようにして薬液バッグ２０に封入された薬液を予め設定された流量にて供給することで薬液を投与することができる。
【００２７】
このように本実施の形態である輸液装置においては、制御部６０及び撮像部５１が、薬液導入経路を通過する薬液の流量を計測する流量計測手段を構成しており、制御部６０及びバルブ５２が、流量計測手段の計測結果に応じて薬液供給経路の断面積を変化させることで薬液の流量を調整する流量調整手段を構成している。つまり、制御部６０、撮像部５１及びバルブ５２が輸液量調整手段を構成している。
【００２８】
以上説明したように、本実施の形態である輸液装置によれば、装置本体１０が上面に開口１１ａが形成された箱状の本体部１１とこの本体部１１の開口１１ａを開閉する蓋体１２とにより構成され、内部に薬液が封入された薬液バッグ２０が装置本体１０の内部に収納され、収納部４０に収納された制御部６０、撮像部５１及びバルブ５２が、薬液導入経路を通じて薬液バッグ２０より吐出された薬液を導入し、かつ予め設定された流量にて薬液供給経路を通じて薬液を供給するので、従来の輸液装置のように薬液バッグを保持するためのスタンド等を必要とせず、災害現場等の救急医療現場をはじめ様々なロケーションで用いることができる。しかも操作・表示部１２３を通じて操作するだけで所定の流量にて薬液を供給して薬液を投与することができる。従って、ロケーションに限られずに薬液バッグ２０に封入された薬液を安定的に投与することで、点滴等の輸液行為を容易なものとすることができる。
【００２９】
また、上記輸液装置によれば、制御部６０及び撮像部５１が点滴筒３０で液滴が落下した瞬間を画像を処理して流量を計測しているので、液滴の個数を検出して計測する場合よりも薬液の流量をより正確に計測することができ、しかも連続流も計測することができ、高速大量輸液にも対応しており、薬液の投与を良好なものとすることができる。
【００３０】
以上、本発明の好適な実施の形態について説明したが、本発明はこれに限定されるものではなく、種々の変更を行うことができる。
【００３１】
上述した実施の形態では、加圧装置は、空気圧により薬液バッグ２０を加圧するものであったが、本発明においては、バネ等の復元力により薬液バッグを加圧する加圧装置を適用しても良い。その際、加圧装置としては電力等を要しないものが好ましい。これにより加圧装置に対する電力を省略することができ、輸液装置全体に電力使用量の低減化を図ることができ、電池等を用いる場合には使用寿命を長大化することができる。
【００３２】
上述した実施の形態では、薬液バッグ２０が加圧装置にセットされていたが、本発明においては、加圧装置は輸液装置の構成要素で本体部に一体的に設けられたものであっても構わない。
【産業上の利用可能性】
【００３３】
以上のように、本発明に係る輸液装置は、例えば各種医療における点滴等に有用である。
【符号の説明】
【００３４】
１０  装置本体
１１  本体部
１１ａ  開口
１１１  載置面
１１２  溝部
１２  蓋体
１２１  ヒンジ
１２２  把手部
１２３  操作・表示部
１２４  ロック部
１３  カバー部材
１３１  切欠部
２０  薬液バッグ
２１  チューブ
２２  接続部
３０  点滴筒
３１  薬液導入管
３２  薬液供給管
４０  収納部
５１  撮像部
５２  バルブ
５３  アクチュエータ
６０  制御部
６１  メモリ
【図１】
2013165758.tif 000003
【図２】
2013165758.tif 000004
【図３】
2013165758.tif 000005
【図４】
2013165758.tif 000006